(57)【特許請求の範囲】
【請求項１】
容器（２）であって、
側壁（１２）と、容器の基部の一部を形成する第１の部分（１６）及び第２の凹部部分（１８）を含む基部壁（１０）とで構成される本体部分（４）と、
前記本体部分（４）と共に第１の区画（１４）を形成し、かつ前記側壁（１２）に取外し可能に取り付けられた第１の蓋（６）と、
前記基部壁（１０）の前記第２の凹部部分（１８）と共に第２の区画（２０）を形成し、かつヒンジ線に沿って前記本体部分（４）に接続されて容器（２）の前記基部の一部を形成する第２の蓋（８）と、
を含み、
前記第１の区画（１４）及び前記第２の区画（２０）は、前記基部壁（１０）の両側に位置し、該第２の区画（２０）は、前記第１の区画（１４）よりも小さく、前記第２の蓋は、前記基部壁の前記第１の部分（１６）と同一平面にあり、前記第２の蓋（８）の側壁は、正方向の力が加えられるまで前記第２の蓋を閉鎖位置に保つために、前記第２の区画（２０）の内側に位置して前記基部壁（１０）の前記第２の凹部部分（１８）の側壁と係合する、
ことを特徴とする容器（２）。
【請求項２】
前記ヒンジ線は、前記第２の蓋（８）を前記本体部分（４）に接続する粘着ラベルを用いて作成されることを特徴とする請求項１に記載の容器（２）。
【請求項３】
前記ヒンジ線は、前記基部壁（１０）の前記凹部部分（１８）の縁部に沿って延びることを特徴とする請求項１又は請求項２に記載の容器（２）。
【請求項４】
少なくとも一方の蓋（６）（８）に関連付けられてその蓋を閉鎖位置に固定するための保持手段（３２）を含むことを特徴とする請求項１から請求項３のいずれか１項に記載の容器（２）。
【請求項５】
前記本体部分（４）は、前記第１（１４）及び第２（２０）の区画の少なくとも一方の内容物を表示するのに適する実質的に透明な部分を更に含むことを特徴とする請求項１から請求項４のいずれか１項に記載の容器（２）。
【請求項６】
前記第１の蓋（６）、前記第２の蓋（８）、及び前記本体部分（４）のうちの少なくとも１つは、円形断面を有することを特徴とする請求項１から請求項５のいずれか１項に記載の容器（２）。
【請求項７】
前記第１の蓋（６）及び前記本体部分（４）は、円形断面を有し、
前記第２の蓋（８）は、半円形断面を有する、
ことを特徴とする請求項６に記載の容器（２）。
【発明の詳細な説明】
【技術分野】
【０００１】
本発明は、消費財のための新しい容器に関する。この容器は、経口感覚をもたらす品目のために特に適している。より詳細には、容器は、タバコを含む１つ又はそれよりも多くの選択された香味料を経口送出するための香味品目に適している。
【背景技術】
【０００２】
消費財は、一般的に、品目を収容する箱部分と、箱部分を閉じるための取外し可能な蓋部分とを有する箱又はスズ缶に入れて販売される。蓋部分内に付加的な小さな区画を有する消費財のための容器の具備が提案されている。例えば、ＷＯ−Ａ−２００５／０１６０３６は、嗅ぎタバコを収容する箱の部分を密封する下部蓋を有する蓋部分と、ヒンジ式接合によって下部蓋に可動的に固定されたカバー蓋とを有する嗅ぎタバコのための箱を開示している。下部蓋及びカバー蓋は、それらの間に使用済み嗅ぎタバコの保管することを意図した空間を形成する。カバー蓋は、下部蓋上の対応する部分と相互作用するタブを用いて閉鎖位置に保持される。
【先行技術文献】
【特許文献】
【０００３】
【特許文献１】ＷＯ−Ａ−２００５／０１６０３６
【発明の概要】
【発明が解決しようとする課題】
【０００４】
各々を容易に開閉することができる２つ又はそれよりも多くの別々の区画を有する容器を提供することが望ましいと考えられる。他の区画から各々が独自にアクセス可能な２つ又はそれよりも多くの別々の区画を有する容器を提供することも望ましいであろう。そのような容器を簡単に製造及び組み立てることができれば更に望ましいと考えられる。
【課題を解決するための手段】
【０００５】
本発明により、側壁及び基部壁から構成される本体部分と第１の蓋とを含み、本体部分及び第１の蓋部分が第１の区画を形成し、第１の蓋が側壁に取外し可能に取り付けられた容器を提供し、容器は、第２の蓋を含み、本体部分及び第２の蓋が第２の区画を形成し、第２の蓋がヒンジ線に沿って本体部分に接続されて容器の基部の少なくとも一部分を形成する。第１の区画及び第２の区画は、基部壁の両側に位置する。従って、第１及び第２の区画の開口部は、容器の両側に配置される。
【０００６】
基部壁の両側に蓋を配置すると、消費者が両方の区画を同時に開くことが抑制される。一方の区画を開いている間に他方の区画を閉じると、消費財を汚染するか又は消費財が区画内で混合する危険性が低減される。
【０００７】
第１の区画及び第２の区画は、実質的に同じサイズにすることができるが、好ましくは、第１の区画及び第２の区画は、サイズが異なり、互いに対して異なる容積を有する。特に好ましくは、第１の区画は、第２の区画よりも大きい。
【０００８】
本発明による容器の第１の蓋は、本体部分から取外し可能である。これは、第１の区画にアクセスするために第１の蓋が開かれると、蓋が本体部分に接続されたままに留まらず、そこから完全に分離されるか又は取り外されることを意味する。それによって第１の蓋を本体部分に恒久的に接続するための手段を含む必要がなくなるので、容器の生産及び組み立て工程を簡略化することができる。
【０００９】
対照的に、本発明による容器の第２の蓋は、ヒンジ線に沿って本体部分に接続され、そのためにそれは、開放位置及び閉鎖位置の両方で本体部分に接続されたままに留まる。従って、第２の区画内に保管されるいずれの消費財も、第２の蓋が開かれて消費財が処分されるまでバッグ又は衣服のポケット内で失われる危険性が無くなる。
【００１０】
用語「ヒンジ線」は、それを軸にして第２の蓋が本体部分に対してピボット回転する線を意味する。このヒンジ線は、容器の基部の縁部周りに少なくとも途中まで延びることができるが、好ましくは、ヒンジ線は、容器の基部にわたって延びている。このヒンジ線は、第２の蓋と本体部分の間の脆弱線によって設けることができる。例えば、第２の蓋は、本体部分の基部壁か又は本体部分の別の部分と一体にすることができると考えられる。しかし、好ましくは、第２の蓋は、容器の残りの部分と別々に形成され、ヒンジ線は、容器の基部に恒久的に又は取外し可能に取り付けられる粘着ラベルの手段により、及び容器の本体部分に第２の蓋を接続することによって設けられる。これは、第２の蓋に対して必要なヒンジ式接続を提供するための簡単で費用効率の高い方法を提供する。これはまた、第２の蓋を本体部分に恒久的に接続するための手段を含む必要がなくなるので、容器の生産及び組み立て工程を簡略化することができる。粘着ラベルは、更に、第２の蓋をそれが閉鎖位置で見えなくなるように覆うことができる。
【００１１】
閉鎖位置では、第２の蓋が容器の基部の少なくとも一部を形成する。これは、必要に応じて容器の基部が実質的に平坦なままに留まるように第２の蓋が容器の基部から突出しないので有利である。それによって容器を包装するための従来の装置及び方法を使用することができるようになる。更に、この構成は、保証された自由裁量で、必要に応じて閉鎖位置で第２の蓋を実質的に見えないように作ることができることを意味する。
【００１２】
第２の蓋は、容器の基部の全て又は一部を形成することができる。好ましい実施形態では、第２の蓋が容器の基部の一部を形成し、容器の基部の他方の部分は、本体部分の基部壁の第１の部分によって形成される。閉鎖位置では、第２の蓋は、好ましくは、基部壁の第１の部分と同一平面にある。
【００１３】
本体部分の基部壁は、側壁によって全ての側を囲まれ、かつあらゆる望ましい形状とすることができるが、好ましくは円形である。基部壁は、平坦な又は湾曲した単一の平面壁で構成することができる。代替的に、基部壁は、例えば、１つ又はそれよりも多くの凹部部分を含むより複雑な面を提供することができる。「凹部」は、容器の基部から入り込んだ部分を意味する。
【００１４】
本発明の１つの好ましい実施形態では、基部壁は、容器の第２の区画の基部壁と任意的に１つ又はそれよりも多くの側壁とを提供する凹部部分を含む。凹部部分及び第２の蓋は、従って、一緒に第２の区画を形成する。
【００１５】
第２の区画の容積は、凹部部分の面積と同様に、容器の基部に対して基部壁が窪む程度に依存する。本体部分の基部壁が第１の区画及び第２の区画の両方の基部壁を提供するので、第２の区画のサイズの増分は、典型的には対応する第１の区画の容積の減分に依存する結果になる。基部壁の凹部部分は、いずれかの断面とすることができる。しかし、容器の断面が円形の場合、凹部部分の断面は、好ましくは実質的に半円形であり、それによって半円形断面を有する第２の区画が形成される。この場合、第２の蓋の断面は、好ましくは、対応して半円形である。しかし、第２の蓋が閉鎖位置にある時に第２の区画の開口部が覆われるという条件下で、その断面は、任意とすることができる。
【００１６】
好ましくは、第２の区画が基部壁の凹部部分によって形成される場合、第２の蓋がそれに沿って本体部分と接続されるヒンジ線は、凹部部分の縁部に沿って延びている。特に好ましくは、ヒンジ線は、容器の基部の一部を形成する基部壁の第１の部分と基部壁の第２の凹部部分との間に延びる。
【００１７】
第１の蓋と第２の蓋は、好ましくは別々であり、換言すれば、それらは、何らかの形態で互いに取り付けられるか又は連結されることがない。蓋の構造は、従って、蓋が互いに接続される従来技術の容器の構造と比べて比較的単純にすることができる。単純化した蓋構造の１つの利点は、製造及び組み立て工程が更に単純化され、より効率的にすることができることである。更に別の利点は、各蓋をより簡単に取り外して交換することができることである。蓋が互いに取り付けられていないので、一方の区画を開こうとする間に他方の区画を不注意で開く危険性も最小になる。
【００１８】
第１及び第２の蓋は、本体部分の側壁の上に装着することにより、又は本体部分の側壁又は基部壁内に嵌合することによって対応する区画を閉じることができる。上述のように、第２の区画が基部壁の凹部部分によって設けられる場合、第２の蓋は、代替的に凹部部分内に嵌合することができる。
【００１９】
各蓋は、好ましくは、その蓋を開いて対応する区画にアクセスするために消費者によって正方向の力が加えられるまで閉鎖位置に留まる。それによって使用中に蓋が容器から不注意で分離されないことが保証される。
【００２０】
有利な態様では、第１の蓋及び第２の蓋は、本体部分上又は本体部分内への蓋の緊密な適合、及び蓋の接触面又は縁部と本体部分の壁との間の摩擦のために閉鎖位置に留まることができる。例えば、蓋が本体部分の上に装着されると、蓋には、その上にそれが適合する本体部分の外側断面と実質的に同じ形状とサイズの内側断面を提供する。代替的に、蓋が対応する区画の開口部内に嵌合すると、それは、その開口部の断面と実質的に同じサイズ及び形状の外側断面を提供する。好ましくは、接触面の少なくとも１つが高摩擦面である。例えば、接触面の少なくとも１つを容器の残りの面と比べて粗くすることができる。
【００２１】
代替的に又は追加的に、第１の蓋及び第２の蓋の少なくとも一方は、その蓋を閉鎖位置で固定するための保持手段を更に含む。保持手段は、本体部分、又は蓋、又は本体部分及び蓋の両方に設けることができる。保持手段は、蓋の一方又は両方に対して設けることができる。保持手段が両方の蓋に対して提供される場合、第１の蓋及び第２の蓋には、同じか又は異なる保持手段を設けることができる。
【００２２】
保持手段は、例えば、接触面の一方の１つ又はそれよりも多くの環状フランジを含むことができ、これは、他方の接触面上の１つ又はそれよりも多くの相応に位置決めされた溝と係合する。このタイプの保持手段では、蓋は、フランジを溝から切り離すために蓋を容器の残りの部分から離れるように引っ張ることによって容器から取り外すことができる。
【００２３】
一実施形態では、第１の蓋及び本体部分の接触面には、第１の蓋が閉じている時に互いに係合する対応するネジ山が設けられる。ネジ山は、１つの螺旋状ネジ山とすることができ、又は代替的にネジ山の少なくとも２つの周方向に離間した部分によって設けることができる。
【００２４】
本体部分の側壁は、例えば、円形基部壁を取り囲む１つの面で構成することができる。代替的に、側壁は、例えば、三角形基部壁に対しては３つ、又は矩形基部壁に対しては４つのようないくつかの個別の面を含むことができる。この側壁は、基部壁に対して実質的に垂直にすることができる。代替的に、側壁は、例えば、容器が基部壁に対して垂直方向にテーパ付けされている場合、基部壁に向けて又は基部壁から離れるように傾斜させることができる。
【００２５】
基部壁は、好ましくは、望ましい形状にされた単一シートの材料で形成される。より好ましくは、基部壁及び側壁は、材料の単一成型部分から一体的に形成される。それによって本発明による容器の本体部分を形成するのに必要な工程及び装置が単純化される。
【００２６】
典型的には、第１の蓋と第２の蓋の異なる構造、又は形状、又は両方を利用してそれらを区別することが可能になることになる。しかし、任意的に、容器は、第１の蓋と第２の蓋を区別するための付加的な手段を含むことができる。例えば、蓋は、異なる色とすることができ、又は容器に印しを印刷、エンボス、又はその他の方法で付加し、どの区画が２つの可能な消費財のどのタイプを収容するかを表示することができる。これは、区画の一方が使用済み消費財を保管するように意図され、同時に区画の他方が新鮮な又は使用されていない消費財を保管するように意図される場合に特に有用である。
【００２７】
本発明による容器は、好ましくは、本体部分と実質的に円形外側断面を有する第１の蓋とを含む実質的に円筒形形状である。しかし、代替的に、本発明による容器は、例えば、実質的に三角形、矩形、又は楕円形断面をした実質的に角柱形状又はピラミッド形状とすることができる。好ましくは、第１の蓋の高さは、閉じた容器全高のほぼ３分の１である。
【００２８】
本発明による容器は、以下に限定されるものではないが、厚紙、プラスチック、金属、又はその組合せを含むあらゆる適切な材料から形成することができる。本体部分は、蓋とは異なる材料から形成することができ、又は本体部分及び蓋部分は、全て同じ材料から形成することができる。第１及び第２の蓋の各々は、異なる材料から又は同じ材料から形成することができる。例えば、好ましい実施形態では、本体部分及び第２の蓋は、成型プラスチックから作られる一方、第１の蓋は、金属で作られる。
【００２９】
好ましくは、本体部分は、第１及び第２の区画の少なくとも一方の内容を見るための実質的に透明な部分を含む。これによって、蓋を取り外す必要なく、容器内に消費財がいくつ残っているかをだれでも見ることができるようになる。好ましい実施形態では、本体部分は、実質的に透明なプラスチック材料から作られる。好ましくは、容器の本体部分は、ポリプロピレン、ポリエチレン、ポリスチレン、ナイロン、ポリスルフォン、ポリエステル、ポリウレタン、及びその組合せから構成される群から選択された材料から射出成形される。代替的に、本体部分は、ガラスから作ることができる。
【００３０】
本発明による第１及び第２の区画は、香味、色、又は質感の異なる消費財を保管するのに使用することができる。代替的に、一方の区画は、消費財と組み合わせて使用するためのアクセサリを保管するのに使用することができる。代替的に、一方の区画は、廃棄された包装材料又は使用済み消費財を保管するのに使用することができる。
【００３１】
本発明の容器は、経口感覚をもたらす製品の保管のための容器として特定の用途を見出す。より詳細には、この容器は、タバコを含む１つ又はそれよりも多くの選択された香味料の経口送出のための香味品目として適している。香味品目の例は、ｓｎｕｓ袋である。ｓｎｕｓ袋は、袋材料内に入れられたタバコ材料であり、タバコ材料は、タバコ、水、及び食塩、並びに非タバコ香味料及び湿潤剤のような添加剤を含むことができる。
【００３２】
有利な態様では、第２の区画の具備により、使用済み消費財を適切に処分することが可能になるまで容器内のそれらの一時的な保管が可能になる。第２の区画が第１の区画から分離され、かつそれらの区画が別々の蓋によって閉じられるので、未使用品目が汚染されないこと、又は使用済み品目によってその他の方法で悪影響を及ぼされないことが保証される。
【００３３】
容器は、好ましくは、第１の区画に未使用消費財が充填され、第２の区画を空にするように提供される。特に好ましい実施形態では、第１の区画には香味袋が充填され、第２の区画は、空である。
【００３４】
消費財が充填された状態で、消費財を収容する区画は、消費財の新鮮さを維持するために好ましくは密封される。例えば、プラスチック又は箔の層は、第１の区画の上縁にわたって密封することができる。好ましくは、そのようなシール層は、タブ、又は層の簡単な除去を可能にする他の手段を含む。
【００３５】
添付図面を参照して、本発明を単に一例として以下に更に説明する。
【図面の簡単な説明】
【００３６】
【図１】容器の本体部分から分離された第１の蓋を有する本発明による容器の側面図である。
【図２】図１の容器の底面図である。
【図３】容器から第１の蓋が取り除かれ、第２の蓋が閉鎖位置にある図１の容器の断面図である。
【図４】第２の蓋が開放位置にある図１の容器の斜視図である。
【発明を実施するための形態】
【００３７】
図１から４に示す容器２は、形状が実質的に円筒形であり、プラスチック本体部分４と、第１の金属蓋６と、第２のプラスチック蓋８とを含む。第１の蓋６は、本体部分４の上端の上に装着される。
【００３８】
図を見て分るように、本体部分４は、円形基部壁１０と、基部壁１０の縁部から上方に垂直に延びる環状側壁１２とを含む。基部壁１０、側壁１２，及び第１の蓋６は、容器２の上部側面に開口部を有する第１の区画１４を形成する。
【００３９】
本体部分の基部壁１０は、容器２の基部の半分を形成する第１の半円形部分１６と、容器の下部側面に半円形凹部を設けるために容器２の第１の部分１６及び基部に対して窪んでいる第２の半円形部分１８とを含む。半円形凹部は、基部壁と、真っ直ぐな側壁と、湾曲した側壁とを含み、それらは、全て本体部分の基部壁１０によって提供される。基部壁１０の凹部部分１８及び第２の蓋８は、一緒に第１の区画１４よりも有意に小さい第２の区画２０を形成する。
【００４０】
第１の蓋６は、円形上部壁１８と、上部壁１８の縁部から垂直に延びる環状側壁２０とを含む。本体部分４の側壁１２の上に装着される時に、第１の蓋６は、第１の区画１４を閉じる。
【００４１】
第２の蓋８は、実質的に半円形形状の底壁２２と、底壁２２からその半円形縁部から短い距離で延びる半環状側壁２４から構成される。第２の蓋８は、閉じた時に基部壁１０の第１の部分１６と同一平面上に位置するように、第２の区画２０の開口部の上に装着される。基部壁１０の第１の部分１６及び第２の蓋８は、一緒に容器２の基部を形成する。閉鎖位置では、第２の蓋８の半環状側壁２４は、正方向の力が加えられるまで第２の蓋８を閉鎖位置に保つために、第２の区画２０の内側に位置して基部壁１０の凹部部分１８の湾曲側壁と係合する。
【００４２】
第２の蓋８は、その湾曲縁部内に切り欠き部２６を含み、それによって使用中に蓋８を開くことが容易になる。図３を見て分るように、基部壁１０の凹部部分１８は、第２の区画２０が第２の蓋８によって完全に閉じられるように、第２の蓋８内の切り欠き部２６の存在を考慮に入れるように成形される。
【００４３】
実質的に円形の粘着ラベルが、容器２の基部に対して基部壁の第１の部分１６及び第２の蓋８の基部壁２２の上に付加される。ラベルは、容器２の残りの部分に対して第２の蓋を接続し、基部の中心にわたってヒンジ線「Ａ」を提供し、それを軸にして第２の蓋８が第２の区画２０を開閉するためにピボット回転することができる。ラベルは、第２の蓋に設けられたものにサイズが対応する切り欠き部を含み、ラベルはまた、ラベル内の切り欠き部及び第２の蓋が互いに整列するように付加される。
【００４４】
図１を見て分るように、本体部分４の側壁１２は、下部環状部分２８と下部環状部分２８の上方の上部環状凹部部分３０とを含む。下部環状部分２８は、第１の蓋６が所定位置にある時に可視のままである。
【００４５】
上部環状凹部部分３０は、下部環状部分２８と比較して直径が小さい。下部環状部分２８と上部環状部分３０の間の直径の差は、ほぼ第１の蓋６の側壁２０の厚みに等しい。従って、第１の蓋６が本体部分４上の所定位置にある時に、その側壁２０は、本体部分４の側壁１２の上部環状部分３０に重なる。この閉鎖位置では、蓋６の側壁２０は、本体部分４の側壁１２の下部環状部分２８と同一平面上にある。
【００４６】
図１を見て分るように、本体部分４の側壁１２の上部環状凹部部分３０は、環状フランジ、又は本体部分の周りで周方向に延びる突出部３２を含む。第１の蓋６は、その側壁１２の縁部に環状フランジ又はリップを含み、それが本体部分４上のフランジ３２と係合して第１の蓋６を閉鎖位置に保持する。第１の蓋６を取り外すために、それを本体部分４から離れるように上方に引っ張り、第１の蓋６上の環状フランジを本体部分４上のものから切り離さなければならない。
【符号の説明】
【００４７】
８  第２の蓋
１０  基部壁
１２  側壁
１４  第１の区画
２０  第２の区画
【図１】
0005719307.tif 000002
【図２】
0005719307.tif 000003
【図３】
0005719307.tif 000004
【図４】
0005719307.tif 000005